(57)【要約】【課題】集塵室の周壁と蓋体との間を封止するパッキングのシール性を向上させることで、吸込仕事率が向上する電気掃除機を提供する。【解決手段】本電気掃除機は、集塵室に設けた開口部と蓋体との間を設けられた封止用のパッキングは、開口部の開口端部と蓋体の蓋体端部との間に位置するパッキング基部から外方に延び、かつ蓋体の端部が当接し、蓋体側方向に湾曲するリップ部を備える。【選択図】  図３
2010187823.tif 000002
【特許請求の範囲】
【請求項１】
掃除機本体と、
この掃除機本体内部に設けられ、負圧が作用する集塵室と、
この集塵室に着脱自在に収納された集塵体と、
前記集塵室に設けられた集塵体着脱用開口部と、
この開口部を塞ぎ、前記掃除機本体に取付けられた蓋体と、
前記開口部と前記蓋体との間に設けられた封止用のパッキングとを備え、
このパッキングは、前記開口部に位置するパッキング基部から外方に延び、かつ前記蓋体の端部と当接し、前記蓋体側方向に湾曲するリップ部を備えることを特徴とする電気掃除機。
【請求項２】
前記パッキングは、前記リップ部のパッキング基部側部分に比べて、前記リップ部の先端が薄いことを特徴とする請求項１に記載の電気掃除機。
【請求項３】
前記パッキングは、前記リップ部の前記蓋体の端部が当接する部分付近から先端に向かって順次薄なることを特徴とする請求項１に記載の電気掃除機。
【請求項４】
前記パッキングは、前記リップ部の前記蓋体の端部が当接する部分付近から、先端に渡って肉薄に形成されることを特徴とする請求項１に記載の電気掃除機。
【請求項５】
前記パッキングは、前記リップ部において前記蓋体の端部が当接する部分の裏面かつリップ部の先端側付近に薄肉部を設けることを特徴とする請求項１また２に記載の電気掃除機。
【請求項６】
前記パッキングは、前記リップ部の表側先端付近に突条を設けることを特徴とする請求項１ないし５のいずれか１項に記載の電気掃除機。
【発明の詳細な説明】
【技術分野】
【０００１】
本発明は電気掃除機に係り、特に集塵室に設けられた開口部の周壁と蓋体との間を封止するパッキングの形状を改良した電気掃除機に関する。
【背景技術】
【０００２】
一般に、電気掃除機は電動送風機によって生じる負圧によって、含塵空気を集塵室に吸込み、この集塵室に着脱自在に収容される集塵体によって、含塵空気を除去する。
【０００３】
長時間の使用により、集塵体の交換あるいは塵落としが必要となる。そこで、集塵室に設けた集塵体着脱用開口部を塞ぐ蓋体を開放して、集塵体の交換を行う。
【０００４】
一方、下ケースの周壁と蓋体との間には、パッキングが設けられ、気密的に封止される。
【０００５】
従来のパッキングは、開口部を形成する周壁端部と蓋体との間に位置するパッキング基部から外方に水平方向に延び、下方に湾曲したリップ部を備えている（例えば、特許文献１参照）。
【０００６】
しかしながら、特許文献１に記載のパッキングは、リップ部が下方に湾曲しているため、電動送風機の運転時、集塵室に負圧が作用し、蓋体は内側（集塵室側）に吸引され変形し、蓋体の下端とリップ部間に空隙が生じるが、リップ部が下方に湾曲しているため、このリップ部を十分に蓋体側に吸引することができず、空隙を塞ぐことができない。
【０００７】
従って、電気掃除機の吸込仕事率が低下するという問題があった。
【先行技術文献】
【特許文献】
【０００８】
【特許文献１】特開平８−１６８４５２号公報
【発明の概要】
【発明が解決しようとする課題】
【０００９】
本発明は上述した事情を考慮してなされたもので、集塵室に設けられた集塵体着脱用開口部と蓋体との間に設けられた封止用のパッキングのシール性を向上させることで、吸込仕事率が向上する電気掃除機を提供することを目的とする。
【課題を解決するための手段】
【００１０】
上述した目的を達成するため、本発明に係る電気掃除機は、掃除機本体と、この掃除機本体内部に設けられ、負圧が作用する集塵室と、この集塵室に着脱自在に収納された集塵体と、前記集塵室に設けられた集塵体着脱用開口部と、この開口部を塞ぎ、前記掃除機本体に取付けられた蓋体と、前記開口部と前記蓋体との間に設けられた封止用のパッキングとを備え、このパッキングは、前記開口部に位置するパッキング基部から外方に延び、かつ前記蓋体の端部と当接し、前記蓋体側方向に湾曲するリップ部を備えることを特徴とする。
【発明の効果】
【００１１】
本発明に係る電気掃除機によれば、集塵室に設けられた集塵体着脱用開口部と蓋体との間に設けられた封止用のパッキングのシール性を向上させることで、吸込仕事率が向上する電気掃除機を提供することができる。
【図面の簡単な説明】
【００１２】
【図１】本発明の一実施形態に係る電気掃除機の斜視図。
【図２】本発明の一実施形態に係る電気掃除機の蓋体を開放した状態を示す斜視図。
【図３】本発明の一実施形態に係る電気掃除機の集塵体の収容状態を示す斜視図。
【図４】本発明の一実施形態に係る電気掃除機に用いるパッキング部分を示す斜視図。
【図５】本発明の一実施形態に係る電気掃除機に用いるパッキングの縦断面図。
【図６】本発明の一実施形態に係る電気掃除機に用いるパッキングのシール作用の概念図。
【図７】本発明の一実施形態に係る電気掃除機に用いるパッキングの第１変形例の縦断面図。
【図８】本発明の一実施形態に係る電気掃除機に用いるパッキングの第２変形例の縦断面図。
【図９】本発明の一実施形態に係る電気掃除機に用いるパッキングの第３変形例の縦断面図。
【発明を実施するための形態】
【００１３】
本発明の一実施形態に係る電気掃除機について添付図面を参照して説明する。
【００１４】
図１ないし図３に示すように、本発明の一実施形態に係る電気掃除機の掃除機本体１は、本体ケース２を備え、この本体ケース２はいずれも合成樹脂製で厚さが２〜３ｍｍ程度の下ケース３と上ケース４からなる。
【００１５】
本体ケース２の前面には、吸込口体が一端に接続された吸込ホース（いずれも図示省略）が接続される吸込接続口５が設けられ、本体ケース２の前部には吸込接続口５に連通する集塵室６が設けられる。
【００１６】
一方、本体ケース２の後部には、電動送風機（図示省略）が収容され、電動送風機の回転により、集塵室６に着脱自在に収納される集塵体７を介して、集塵室６に負圧が作用する。集塵体７は、例えば、吸込接続口５に連通して取付けられる紙パック７ａ、枠体（図示省略）で支持される軟質多孔質体７ｂからなる。
【００１７】
また、集塵室６の前部上方には、集塵体７を着脱するための開口部８が設けられる。
【００１８】
この開口部８はいずれも集塵室６の周壁をなす下ケース３の下ケース上端部３ａ及び上ケース４の上ケース前端部４ａによって画定される。
【００１９】
開口部８は上ケース３に軸支された蓋体９によって、適宜開閉される。
【００２０】
また、開口部８と蓋体９間には、開口部８に沿って略口字状のパッキング１０が取付けられる。
【００２１】
図２，図４及び図５に示すように、パッキング１０は、軟質合成樹脂製で、下ケース上端部３ａ及び上ケース前端部４ａが挿入される断面台形状の溝部１０ａが設けられたパッキング基部１０ｂと、このパッキング基部１０ｂの集塵室６側端部から上方に立ち上がる立上部１０ｃと、この立上部１０ｃに上端部１０ｄを形成するように、立上部１０ｃからパッキング基部１０ｂに略平行で略水平方向外方（反集塵室６側）に延び、蓋体９方向に湾曲するリップ部１０ｅからなる。
【００２２】
リップ部１０ｅはその先端１０ｆの厚さｔ１が水平部１０ｇ付近の厚さｔ２に比べて薄く、さらに、リップ部１０ｅは、蓋体９の下端部９ａが当接する部分付近から先端１０ｆに向かって順次薄なっている。
【００２３】
パッキング１０は下ケース３の下ケース上端部３ａ及び上ケース４の上ケース前端部４ａをパッキング基部１０ｂの溝部１０ａに挿入することで、開口部８に取付られ、蓋体９の下端部９ａがリップ部１０ｅないし水平部１０ｇに当接することで、集塵室６と大気間の気密が保たれる。
【００２４】
本体ケース２は厚さが２〜３ｍｍ程度の合成樹脂製であり、可撓性を有し、また、パッキング１０も軟質合成樹脂製で、可撓性を有し、両者は成形により製造されるので正確寸法を実現し難く、パッキングの係合溝を設け、この溝に蓋体の下端部を係合させるシール構造は取り難く、リップ部１０ｅに蓋体９の下端部９ａを当接させる構造が適する。
【００２５】
なお、成形によるパッキング１０の製造時、パッキング１０のリップ部１０ｅは、蓋体側方向に湾曲しているので、リップ部が下ケース側に湾曲する従来のパッキングに比べて成形型を上方に抜けるので生産性が向上する。
【００２６】
次に本実施形態に係る電気掃除機の動作について説明する。
【００２７】
電動送風機が回転すると、集塵室６が負圧になり、吸込口体、吸込ホース及び吸込接続口５を介して、含塵空気は集塵室６に吸込まれ、集塵体７で除塵され、除塵された空気は電動送風機を介して掃除機本体１外に排気される。
【００２８】
一方、図６に示すように、集塵室６に負圧が作用すると、合成樹脂製で厚さが２〜３ｍｍ程度で可撓性を有し、集塵室６の周壁を形成する蓋体９は、部分的に集塵室６側に吸引されて変形する。
【００２９】
この変形に伴い、蓋体９の下端部９ａとパッキング１０のリップ部１０ｅ間には、空隙ｇが形成されるが、この空隙ｇを介して蓋体９側方向に湾曲するリップ部１０ｅに負圧が作用し、リップ部１０ｅは蓋体９側に吸引され、蓋体９に当接し、リップ部１０ｅにより空隙ｇは封止される。
【００３０】
このとき、リップ部１０ｅは蓋体９側方向に湾曲し、先端１０ｆの厚さｔ１がパッキング基部側部分例えば水平部１０ｇ付近の厚さｔ２に比べて薄く、蓋体９の下端部９ａが当接する部分付近から先端１０ｆに向かって順次薄なっているので、負圧による変形が容易であり、リップ部１０ｅにより空隙ｇはより確実に封止される。
【００３１】
従って、電動送風機が吸込口体以外から空気を吸引することがなく、吸込仕事率が向上する。
【００３２】
本実施形態の電気掃除機によれば、集塵室に設けられた集塵体着脱用開口部と蓋体との間に設けられた封止用のパッキングのシール性を向上させることで、吸込仕事率が向上する電気掃除機が実現する。
【００３３】
次にパッキングの第１変形例について説明する。
【００３４】
本第１変形例は、上記実施形態に用いるパッキングのリップ部が蓋体側方向に湾曲しかつ蓋体の下端部が当接する部分から先端に向かって順次薄なっているのに対して、リップ部が蓋体の下端部が当接する部分から、先端に渡って肉薄に形成される。
【００３５】
例えば、図７に示すように、第１変形例のパッキング１０Ａは、リップ部１０ｅは蓋体９の下端部９ａが当接する部分付近から先端１０ｆまでの厚さｔ３が、水平部１０ｇ付近の厚さｔ２に比べて薄く形成されている。
【００３６】
これにより、集塵室６の周壁を形成する蓋体９は部分的に集塵室６側に吸引されて変形し、この変形に伴い、蓋体９の下端部９ａとパッキング１０のリップ部１０ｅ間には、空隙が形成されるが、この空隙を介して蓋体９側方向に湾曲するリップ部１０ｅに負圧が作用し、リップ部１０ｅは肉薄部分で、容易に蓋体９側に吸引され、蓋体９に当接し、リップ部１０ｅにより、負圧により生じる空隙は封止される。
【００３７】
また、パッキングの第２変形例について説明する。
【００３８】
本第２変形例は、上記実施形態に用いるパッキングのリップ部において蓋体の下端部が当接する部分付近の裏面で先端側付近に薄肉部を設ける。
【００３９】
例えば、図８に示すように、第２変形例のパッキング１０Ｂは、リップ部１０ｅにおいて蓋体の下端部９ａが当接する部分の裏面かつリップ部の先端側付近に薄肉部１０ｈが設けられる。
【００４０】
これにより、リップ部１０ｅは蓋体９側方向に湾曲し、先端１０ｆの厚さｔ１が水平部１０ｇ付近の厚さｔ２に比べて薄く、蓋体９の下端部９ａが当接する部分付近から先端１０ｆに向かって順次薄なっているので、負圧による変形が容易であり、さらに、薄肉部１０ｈが設けられるので、負圧により生じる空隙はより確実に封止される。
【００４１】
また、パッキングの第３変形例について説明する。
【００４２】
本第３変形例は、上記実施形態に用いるパッキングのリップ部の表側先端付近に突条を設ける。
【００４３】
例えば、図９に示すように、第３変形例のパッキング１０Ｂは、リップ部１０ｅの表側の先端１０ｆ付近に突条１０ｉが設けられる。
【００４４】
これにより、リップ部１０ｅは蓋体９側方向に湾曲し、先端１０ｆの厚さｔ１が水平部１０ｇ付近の厚さｔ２に比べて薄く、蓋体９の下端部９ａが当接する部分付近から先端１０ｆに向かって順次薄なっているので、負圧による変形が容易であり、さらに、突条１０ｉが設けられるので、突条１０ｉが蓋体９に当接し、負圧により生じる空隙はより確実に封止される。
【００４５】
なお、突条は、第１変形例のパッキング及び第２変形例のパッキングに設けても、上記効果を奏することができる。
【００４６】
また、上記各例のパッキングでは、リップ部の蓋体の下端部が当接する部分から先端に向かって順次薄くするか、蓋体の下端部が当接する部分から先端に渡って肉薄に形成される例で説明したが、本発明のパッキングは、蓋体側方向に湾曲するリップ部を備えればよい。
【符号の説明】
【００４７】
１  掃除機本体
２  本体ケース
３  下ケース
３ａ  下ケース上端部
４  上ケース
４ａ  上ケース前端部
５  吸込接続口
６  集塵室
７  集塵体
８  開口部
９  蓋体
９ａ  下端部
１０  パッキング
１０ａ  溝部
１０ｂ  パッキング基部
１０ｃ  立上部
１０ｄ  上端部
１０ｅ  リップ部
１０ｆ  先端
１０ｇ  水平部
【図１】
2010187823.tif 000003
【図２】
2010187823.tif 000004
【図３】
2010187823.tif 000005
【図４】
2010187823.tif 000006
【図５】
2010187823.tif 000007
【図６】
2010187823.tif 000008
【図７】
2010187823.tif 000009
【図８】
2010187823.tif 000010
【図９】
2010187823.tif 000011